(57)【特許請求の範囲】
【請求項１】
水受け槽と、前記水受け槽に水道水を給水する給水弁と、風呂水を吸水し前記水受け槽に給水するための、前記給水弁から供給される水道水を呼び水として導入する呼び水口と風呂水を吐出する吐出口とを有する風呂水ポンプと、前記水受け槽に水道水および風呂水を給水するための注水経路を形成した注水支持部材とを備え、前記注水支持部材には、前記注水経路に前記風呂水ポンプの前記呼び水口と前記吐出口とをそれぞれゴムパッキンを介して直接差し込む差込口と、前記風呂水ポンプをねじ固定するボスとを設け、前記ゴムパッキンを差し込む方向と前記ねじを固定する方向とを略同方向となるように構成した洗濯機。
【発明の詳細な説明】
【技術分野】
【０００１】
本発明は、水道水および風呂水を洗濯槽内に注ぐ洗濯機に関するものである。
【背景技術】
【０００２】
従来、洗濯機の注水支持部材への風呂水ポンプの連結方法は、可撓性を有するゴムやプラスチック材で構成された注水ホースにて連結をしていた。（例えば、特許文献１参照）。
【０００３】
図２は一般的な従来の全自動洗濯機を示したもので、以下その構成について説明する。
【０００４】
水受け槽１は、底部にパルセータ２を回転自在に配設した洗濯兼脱水槽３を内包し、吊り棒４によって外枠５に吊り下げられている。外枠５の上部に上部外装体６を装着し、上部外装体６の略中央部に布投入口７を形成し、蓋８で覆っている。
【０００５】
また、上部外装体６の後部には、給水弁１３に連通する注水装置１１を装着している。
【０００６】
前記注水装置１１は、図３の分解斜視図に示すように、円筒状の防水用のゴムパッキン１２を介して給水弁１３の円筒形の流水口１４を挿入する差込口１５を設け、水密的に連結する。
【０００７】
また、風呂水ポンプ１６とは可撓性を有するゴムやプラスチック材で構成された注水ホース１７にて注水装置１１の注水ホースを挿入する差込口１８を設け連結している。
【先行技術文献】
【特許文献】
【０００８】
【特許文献１】特開２００８−０６７９０３号公報
【発明の概要】
【発明が解決しようとする課題】
【０００９】
しかしながら、このような従来の構成では、風呂水ポンプの取付けが左右方向や上下方向にバラツキ易く、ゴムパッキンのしめ代が安定せず設置環境による温度変化や経年変化などによって、水漏れするなどの不具合が発生することがあった。
【００１０】
本発明は、上記従来の課題を解決するもので、風呂水ポンプと注水支持部材とを水密的に連結する構造が確実にでき、風呂水ポンプの取り付けバラツキをなくしてゴムパッキンのしめ代を安定させ水漏れを防止することを目的としている。
【課題を解決するための手段】
【００１１】
本発明は上記目的を達成するために、本発明の洗濯機は、水受け槽と、前記水受け槽に水道水を給水する給水弁と、風呂水を吸水し前記水受け槽に給水するための、前記給水弁から供給される水道水を呼び水として導入する呼び水口と風呂水を吐出する吐出口とを有する風呂水ポンプと、前記水受け槽に水道水および風呂水を給水するための注水経路を形成した注水支持部材とを備え、前記注水支持部材には、前記注水経路に前記風呂水ポンプの前記呼び水口と前記吐出口とをそれぞれゴムパッキンを介して直接差し込む差込口と、前記風呂水ポンプをねじ固定するボスとを設け、前記ゴムパッキンを差し込む方向と前記ねじを固定する方向とを略同方向となるように構成した洗濯機としたものである。
【００１２】
これにより、風呂水ポンプと注水支持部材とを簡単な構造で確実に水密的に連結できるようになり、平易な作業で風呂水ポンプの取り付けバラツキをなくしてゴムパッキンのしめ代を安定させ水漏れを防止することができる。
【発明の効果】
【００１３】
本発明の洗濯機は、風呂水ポンプと注水支持部材とを簡単な構造で確実に水密的に連結できるようになり、平易な作業で風呂水ポンプの取り付けバラツキをなくしてゴムパッキンのしめ代を安定させ水漏れを防止することができる。
【図面の簡単な説明】
【００１４】
【図１】本発明の実施の形態１の洗濯機の注水支持部材の分解斜視図
【図２】従来の洗濯機の縦断面図
【図３】従来の洗濯機の給水装置の分解斜視図
【発明を実施するための形態】
【００１５】
第１の発明は、水受け槽と、前記水受け槽に水道水を給水する給水弁と、風呂水を吸水し前記水受け槽に給水するための、前記給水弁から供給される水道水を呼び水として導入する呼び水口と風呂水を吐出する吐出口とを有する風呂水ポンプと、前記水受け槽に水道水および風呂水を給水するための注水経路を形成した注水支持部材とを備え、前記注水支持部材には、前記注水経路に前記風呂水ポンプの前記呼び水口と前記吐出口とをそれぞれゴムパッキンを介して直接差し込む差込口と、前記風呂水ポンプをねじ固定するボスとを設け、前記ゴムパッキンを差し込む方向と前記ねじを固定する方向とを略同方向となるように構成したことにより、風呂水ポンプと注水支持部材とを簡単な構造で確実に水密的に連結できるようになり、平易な作業で風呂水ポンプの取り付けバラツキをなくしてゴムパッキンのしめ代を安定させ水漏れを防止することができる。
【００１６】
以下、本発明の実施の形態について、図面を参照しながら説明する。なお、従来例と同じ構成のものは同一符号を付して説明を省略する。また、この実施の形態によって本発明が限定されるものではない。
【００１７】
（実施の形態１）
図１は本発明の第１の実施の形態における洗濯機の注水支持部材の分解斜視図である。注水支持部材１９は、プラスチック成型品で構成される注水部材であり、その注水経路２０には水道水を供給する給水弁２２と、風呂水を吸水し供給する風呂水ポンプ２７とが接続されている。注水支持部材１９に形成された略ロの字形状の注水経路２０より、水道水および風呂水を水受け槽１内に注水する。
【００１８】
給水弁２２は水受け槽１に水道水を給水する流水口２３を有しており、風呂水ポンプ２７が風呂水を吸水し水受け槽１に給水を行うために、給水弁２２から水道水を呼び水として風呂水ポンプ２７の呼び水口２８に注水経路２０を介して供給するようになっている。
【００１９】
また、風呂水ポンプ２７内に呼び水が充満すると、吸水口３９から風呂水を吸水し吐出口２９から注水経路２０を経て、水受け槽１に風呂水の給水を行う。
【００２０】
ここで、注水支持部材１９には、注水経路２０と給水弁２２の流水口２３とを接続する差込口２４を設け、水密的に接続できるように円筒状の防水用のゴムパッキン２１を介して接続するように構成している。なお、差込口２４は、注水経路２０に導通するとともに注水経路２０の側壁に略垂直方向に形成する。
【００２１】
さらに、注水支持部材１９には、注水経路２０と風呂水ポンプ２７の呼び水口２８および吐出口２９とを接続する差込口３０、３１を設け、水密的に接続できるように円筒状の防水用のゴムパッキン２５、２６を介して接続するように構成している。なお、差込口３０、３１は、注水経路２０に導通するとともに注水経路２０の側壁に、差込口２４とは反対側即ち対向する側に略垂直方向に形成する。さらに風呂水ポンプ２７の呼び水口２８と給水弁２２の流水口２３とをほぼ向かい合う位置に固定する。流水口２３と呼び水口２８とを注水経路２０を介し向かい合うよう対向する位置に接続することで、給水弁２２から給水された水道水が呼び水として効率よく風呂水ポンプ２７内に供給できる。
【００２２】
注水支持部材１９と風呂水ポンプ２７とを固定するために、風呂水ポンプ２７に取付けフランジ３２を形成し、注水支持部材１９側には、取付けフランジ３２に対応する位置にボス３３を設け、呼び水口２８と吐出口２９をゴムパッキン２５、２６を介して差込口３０、３１に挿入し、さらに、風呂水ポンプ２７の取り付けフランジ３２に防振用のゴム部材３４を介して、ねじ３５にて固定する。この時のねじ３５を固定する方向はゴムパッキン２５、２６を差込口３０、３１に挿入する方向と略同方向になるように構成している。これにより、ゴムパッキン２５、２６は確実に挿入、固定されることになる。
【００２３】
また、注水支持部材１９と給水弁２２とを固定するために、給水弁２２に取付けフランジ３６を形成し、注水支持部材１９側には、取付けフランジ３６に対応する位置にボス３７を設け、流水口２３をゴムパッキン２１を介して差込口２４に挿入後、ねじ３８にて固定する。
【００２４】
以上のように、風呂水ポンプ２７と、注水支持部材１９とは、ねじ３５にてねじ止めされているので、注水支持部材１９と風呂水ポンプ２７が外れることはない。また、ゴム部材３４を介してねじ止めされているため、風呂水ポンプ２７の動作振動を低減し静音化することができる。
【００２５】
また、ねじ３５を固定する方向はゴムパッキン２５、２６を差込口３０、３１に挿入する方向と同方向に構成しているため風呂水ポンプの取り付けバラツキが生じることがなくなり、ゴムパッキンのしめ代を平易な作業で確実に安定させることができる。
【００２６】
また、給水弁２２と、注水支持部材１９とは、ねじ３８にて固定されているので、注水支持部材１９と給水弁２２が外れることはない。
【００２７】
さらに、風呂水ポンプ２７の呼び水口２８と給水弁２２の流水口２３とをほぼ向かい合う位置に配設したことにより、前後方向に並べて配設した場合に比べ、奥行きスペースを小さくすることが可能となる。また、上下方向に重なるように配設した場合に比べ、洗濯機の高さを低くすることが可能となる。また、風呂水ポンプ２７内へ呼び水を満たすために必要となる距離を短くすることができ、水道水の給水流量の変動によらず呼び水の水量を確実に確保できるようになる。
【産業上の利用可能性】
【００２８】
以上のように、本発明にかかる洗濯機は、風呂水ポンプと注水支持部材とを簡単な構造で確実に水密的に連結できるようになり、平易な作業で風呂水ポンプの取り付けバラツキをなくしてゴムパッキンのしめ代を安定させ水漏れを防止することが可能となるので、風呂水を利用する機器に適用できる。
【符号の説明】
【００２９】
１９  注水支持部材
２０  注水経路
２１、２５、２６  ゴムパッキン
２２  給水弁
２３  流水口
２４、３０、３１  差込口
２７  風呂水ポンプ
２８  呼び水口
２９  吐出口
３３、３７  ボス
３４  ゴム部材
【図１】
0005807159.tif 000002
【図２】
0005807159.tif 000003
【図３】
0005807159.tif 000004